(57)【要約】【課題】  毛の導入効率の向上により脱毛処理時間を短縮した脱毛装置を提供する。【解決手段】  脱毛装置１は、手で把持する把持部である装置本体２の一端に、毛を脱毛する脱毛手段１４を設けており、肌の脱毛処理を行いたい部位に脱毛手段１４を当て、脱毛手段１４が毛を挟持して引き抜き脱毛処理を行い、脱毛装置１を肌に対して所定の方向に動かすことで、上記脱毛処理を連続して行うものである。該脱毛手段１４は、一つ以上の回転駆動するシリンダー１６と、シリンダー１６の外周に設けた複数の脱毛部２１と、からなるものであり、脱毛部２１は毛を挟持する挟持領域が円周方向に長さを有した一対の挟持片で構成している。そして、少なくとも一方の挟持片に脱毛部２１へ毛を導入するための切り欠きを設けた。【選択図】        図１
2010069240.tif 000002
【特許請求の範囲】
【請求項１】
脱毛装置本体の一端に脱毛手段を設けており、前記脱毛手段は、少なくとも一つ以上の回転駆動するシリンダーと、該シリンダーの外周に設けた複数の脱毛部と、からなるものであり、前記脱毛部の開閉により毛を挟持して前記シリンダーの回転により引き抜き脱毛する脱毛装置であって、前記脱毛部は対向した一対の挟持片の開閉により毛を挟持する構成であり、前記挟持片は前記シリンダーの円周方向に長さを有しており、前記一対の挟持片の少なくとも一方の外側の縁に前記脱毛部に毛を導入するための切り欠きを設けたことを特徴とする脱毛装置。
【請求項２】
前記脱毛部を所定の角度に傾けて、前記シリンダーの回転軸に対して直交しない配置として、前記一対の挟持片のうちシリンダーの回転方向に先行する側の前記挟持片に前記切り欠きを設けたことを特徴とする請求項１記載の脱毛装置。
【請求項３】
前記一対の挟持片が、前記シリンダーに固定した固定挟持片と、前記固定挟持片に対して動き脱毛部の開閉動作をする可動挟持片と、からなるものであって、該可動挟持片に前記切り欠きを設けたことを特徴とする請求項１または２記載の脱毛装置。
【請求項４】
前記切り欠きを前記挟持片の円周方向の略中央に位置して設けたことを特徴とする請求項１〜３のいずれか一つに記載の脱毛装置。
【請求項５】
前記挟持片が前記シリンダーの軸側に中心を有する円弧形状であって、前記挟持片の外周の径を、前記シリンダーの外周の径以下としたことを特徴とする請求項１〜４のいずれか一つに記載の脱毛装置。
【請求項６】
前記切り欠きに該脱毛部へ毛をガイドする導入部を設けたことを特徴とする請求項１〜５のいずれか一つに記載の脱毛装置。
【発明の詳細な説明】
【技術分野】
【０００１】
本発明は、脱毛装置、殊に体毛を引き抜き脱毛する脱毛装置に関するものである。
【背景技術】
【０００２】
従来から、この種の脱毛装置として特許文献１などがあり、美容などに利用されている。
【０００３】
この脱毛装置の脱毛ヘッドは、対になったクランプ部を外周に複数有する回転体からなり、クランプ部の間に導入された毛をつかんで回転体の回転により引き抜くものである。
【０００４】
そして、対になったクランプ部は、開き状態で回転軸方向に開き幅を有しており、全てのクランプ部の開き幅の合計が、少なくとも脱毛ヘッドのクランプ部を配置できる領域の回転軸方向の幅（有効引き抜き幅Ｌ）に相当するように構成してある。
【０００５】
しかしながら、図１５に示すように、クランプ部は回転体の回転軸方向に直交して配置されており、毛を挟持した領域Ｓ’は回転軸方向に対して幅の無い点Ｓ’でしか示すことができない。
【０００６】
そのため、上記点に位置した毛しか脱毛される機会が無く、特に短い毛においては、同じ箇所に脱毛処理を繰り返し行わないと毛を引き抜くことができず、脱毛処理時間が長くかかってしまうという問題を有している。
【特許文献１】特表２００６−５２４５２１号公報
【発明の開示】
【発明が解決しようとする課題】
【０００７】
そこで、本発明の脱毛装置は、上記の点に鑑みて発明したものであり、毛が脱毛手段に導入される機会を増やし、毛、特に短い毛に対する脱毛効率を向上して、脱毛処理時間を短くすることを課題としたものである。
【課題を解決するための手段】
【０００８】
上記課題を解決するために本発明に係る脱毛装置１は、脱毛装置本体２の一端に脱毛手段１４を設けており、前記脱毛手段１４は、少なくとも一つ以上の回転駆動するシリンダー１６と、該シリンダー１６の外周に設けた複数の脱毛部２１と、からなるものであり、前記脱毛部２１の開閉により毛を挟持して前記シリンダー１６の回転により引き抜き脱毛する脱毛装置１であって、前記脱毛部２１は対向した一対の挟持片の開閉により毛を挟持する構成であり、前記挟持片は前記シリンダー１６の円周方向に長さを有しており、前記一対の挟持片の少なくとも一方の外側の縁に前記脱毛部２１に毛を導入するための切り欠き４８ａ、４８ｂを設けたことを特徴とする。
【０００９】
このような構成をすることで、切り欠き４８ａ、４８ｂからも毛が脱毛部２１に導入されるため、脱毛部２１への毛、特に短い毛の導入効率を向上することができる。
【００１０】
また、前記脱毛部２１を所定の角度に傾けて、前記シリンダー１６の回転軸４７に対して直交しない配置として、前記一対の挟持片のうちシリンダー１６の回転方向に先行する側の前記挟持片に前記切り欠き４８ａ、４８ｂを設ける。このような構成をすることで、脱毛部２１により毛を挟持する領域（挟持可能領域Ｓ）が、点ではなく回転軸４７方向に幅を備えた線状となり、毛、特に短い毛が脱毛部２１に導入され易くなり、脱毛効率が向上する。そして、前記切り欠き４８ａ、４８ｂより回転方向の後方に他方の挟持片が位置するため、脱毛部２１の回転方向側先端から導入された毛が前記切り欠き４８ａ、４８ｂを介して前記脱毛部２１から抜け出ることを防止できる。
【００１１】
そして、前記一対の挟持片が、前記シリンダー１６に固定した固定挟持片２３ａ、２３ｂと、前記固定挟持片２３ａ、２３ｂに対して動き脱毛部２１の開閉動作をする可動挟持片３１ａ、３１ｂと、からなるものであって、該可動挟持片３１ａ、３１ｂに前記切り欠き４８ａ、４８ｂを設ける。このような構成をすることで、前記可動爪３０ａ、３０ｂの動作に伴い切り欠き４８ａ、４８ｂの位置が動くため、脱毛部２１に毛を導入する機会が増え、脱毛効率が向上する。
【００１２】
更に、前記切り欠き４８ａ、４８ｂを前記挟持片の円周方向の略中央に位置して設ける。このような構成をすることで、切り欠き４８ａ、４８ｂの前後に位置する挟持片に掛かる挟持による荷重のバランスが良くなり、毛の挟持を安定して行える。
【００１３】
また、前記挟持片が前記シリンダー１６の軸側に中心を有する円弧形状であって、前記挟持片の外周の径を、前記シリンダー１６の外周の径以下とする。このような構成をすることで、肌の脱毛手段１４への落ち込みを防止でき、脱毛部２１が肌を挟持する虞が無くなり、肌当たりが向上する。
【００１４】
また更に、前記切り欠き４８ａ、４８ｂに該脱毛部２１へ毛をガイドする導入部４９ａ、４９ｂを設ける。このような構成をすることで、前記導入部４９ａ、４９ｂに毛がガイドされ、脱毛部２１に毛の導入される機会が増して、脱毛効率が向上する。
【発明の効果】
【００１５】
脱毛部への毛の導入効率が向上したことで、脱毛する機会が増して、脱毛効率の向上を行え、脱毛処理時間を短縮した脱毛装置となる。
【発明を実施するための最良の形態】
【００１６】
以下、図面に基づいて本発明の実施形態について説明する。
【００１７】
脱毛装置１は、図１に示すように、手で把持する把持部である装置本体２と、装置本体２の内部に備えた駆動源４例えばモータと、装置本体２の一端に設けた毛を脱毛するための脱毛手段１４と、駆動源４の駆動を脱毛手段１４に伝達する駆動伝達部６例えば複数の歯車と、装置本体２の外面に設け駆動源４を操作する操作手段３例えばスイッチと、からなるものである。
【００１８】
そして、駆動源４の駆動を駆動伝達部６が脱毛手段１４に伝達することで、脱毛手段１４が脱毛動作を行う構成である。更に、脱毛装置１は、肌の脱毛処理を行いたい部位に脱毛手段１４を当て、脱毛装置１を肌に対して所定の方向Ｕ（以下、執行方向Ｕと記載）に動かすことで、連続して脱毛処理を行うものである。なお、駆動源４、駆動伝達部６、操作手段３は脱毛手段１４が脱毛動作を行えるものであればよい。
【００１９】
上記脱毛手段１４は、図３に示すように、執行方向Ｕに対して回転軸４７が直交した二つの脱毛ヘッド１５であり、二つの脱毛ヘッド１５は互いの回転軸４７を前後に平行に並んだ配置で取り付けてある。そして、夫々の脱毛ヘッド１５の本体は、夫々の回転軸４７を軸に回転するシリンダー１６である。
【００２０】
また、上記前後に並んだシリンダー１６には、回転軸４７方向の同じ側の端部に駆動伝達部６からの駆動を受ける脱毛ヘッド歯車１７が夫々設けてある。そして、上記脱毛ヘッド歯車１７に駆動伝達部６から駆動が伝達されると、シリンダー１６の脱毛処理を行う側が執行方向Ｕと同じ向きに二つ同時に回転する構成となっている。
【００２１】
また、上記シリンダー１６の外周には、図４および図５に示すように、脱毛部２１が複数取り付けてある。上記脱毛部２１は、回転軸４７に沿ってシリンダー１６の外周に開口した脱毛列取付部４６と、脱毛列取付部４６を覆って配置された脱毛列支持板４０と、によりシリンダー１６に位置決めされて、回転軸４７方向に四つ並ぶことで、脱毛列２０を構成している。
【００２２】
また、脱毛部２１は、図４に示すように、対向する面を開閉して毛を挟持する一対の挟持片を備えている。上記挟持片は、シリンダー１６の円周方向に長さを有し、且つシリンダー１６の外径より小さい径で回転軸４７側に中心を有する円弧形状のものである。なお、挟持片の対向した面の寸法が脱毛部２１が毛を挟持する挟持可能領域Ｓである。
【００２３】
更に、一対の挟持片は、シリンダー１６に固定された固定挟持片２３ａと、固定挟持片２３ａに向けて動く可動挟持片３１ａとの組み合わせ、あるいはシリンダー１６に固定された固定挟持片２３ｂと、固定挟持片２３ｂに向けて動く可動挟持片３１ｂとの組み合わせの二種類で構成されている。
【００２４】
したがって、可動挟持片３１ａが動き固定挟持片２３ａに面接触する、あるいは可動挟持片３１ｂが動き固定挟持片２３ｂに面接触することで、挟持可能領域Ｓに位置する毛が挟持されて、シリンダー１６の回転により引き抜かれる構成である。
【００２５】
また、可動挟持片３１ａ、３１ｂは、図６および図７に示すように、可動爪３０ａ、３０ｂの一端に設けてあり、可動爪３０ａ、３０ｂの反対側の端部にはレバー取付部３３ａ、３３ｂが延設してある。そして、可動爪３０ａ、３０ｂの中央付近には、可動爪ピン挿通孔３４が回転軸４７方向に貫通した設けてある。
【００２６】
また、可動挟持片３１ａと対である固定挟持片２３ａは、図６に示すように、平面視略平行四辺形の固定爪２２ａの端部の立ち上がり部であり、可動挟持片３１ｂと対である固定挟持片２３ｂは、平面視略平行四辺形の固定爪２２ｂの端部の立ち上がり部である。
【００２７】
そして、固定爪２２ａ、２２ｂが正面視略コ字形状をなすことで、二つの同じ固定挟持片２３ａ、２３ａまたは２３ｂ、２３ｂを一体で形成した構成となっている。
【００２８】
また、脱毛列取付部４６より回転軸４７側のシリンダー１６内部には、図７および図８に示すように、開閉レバー挿入孔１９が回転軸４７に沿ってシリンダー１６を貫通している。そして、開閉レバー挿入孔１９には、シリンダー１６両端側から夫々開閉レバーが差し込まれている。
【００２９】
更に、開閉レバーは、長さの異なる６種類、３６ａ、３６ｂ、３６ｃ、３６ｄ、３６ｅ、３６ｆで構成されている。しかし、図５に示すように、一つに開閉レバー挿入孔１９にシリンダー１６両端から挿入される対となる組み合わせは夫々一組であり、対となった状態の開閉レバーの長手寸法の合計はいずれも略同じ寸法となる。
【００３０】
具体的には、開閉レバー３６ａと開閉レバー３６ｆとが対をなし、開閉レバー３６ｂと開閉レバー３６ｅとが対をなし、開閉レバー３６ｃと開閉レバー３６ｄとが対をなす構成である。
【００３１】
そして、上記開閉レバー３６ａ、３６ｂ、３６ｃ、３６ｄ、３６ｅ、３６ｆは、回転軸４７に沿って長い本体である軸部３７と、軸部３７の長手方向のシリンダー１６の端部側の端部に設けたローラ当たり部３９と、軸部３７に所定の間隔で同じ方向に切り欠いた二つの可動爪取付部３８と、からなるものであり、可動爪取付部３８は開閉レバー３６ａ、３６ｂ、３６ｃ、３６ｄ、３６ｅ、３６ｆごとにレバー取付部３３ａまたは３３ｂのいずれか一方のみを取り付けるものである。
【００３２】
また、開閉レバー挿入孔１９に差し込んだ一対の開閉レバーの間には、図７に示すように、復帰ばね４５が取り付けてある。上記復帰ばね４５は、差し込んだ側の端部に向けて開閉レバー３６ａ、３６ｂ、３６ｃ、３６ｄ、３６ｅ、３６ｆを付勢している。
【００３３】
そして、対をなす開閉レバー、例えば開閉レバー３６ａを脱毛ヘッド歯車１７側からシリンダー１６に挿入して、対となる開閉レバー３６ｆを他端側からシリンダー１６に挿入して構成した場合、の夫々のロータ当たり部３９に、外部から略同時に荷重が加わると、図７に示すように、開閉レバー３６ａと開閉レバー３６ｆとが、回転軸４７と平行にシリンダー１６の中央に向かって変位する。
【００３４】
この時、開閉レバー３６ａの変位により、開閉レバー３６ａに取り付けた二つの可動爪３０ｂが動き、可動挟持片３１ｂが固定挟持片２３ｂに面接触して、挟持可能領域Ｓを閉じる。また、開閉レバー３６ｆの変位により開閉レバー３６ｆに取り付けた二つの可動爪３０ａが動き、可動挟持片３１ａが固定挟持片２３ａに面接触して、挟持可能領域Ｓを閉じる。
【００３５】
そして、ローラ当たり部３９への荷重が無くなると、復帰ばね４５により開閉レバー３６ａと、開閉レバー３６ｆとが元の位置に戻る。
【００３６】
この時、開閉レバー３６ａの動きに合せて二つの可動爪３０ｂが動き、且つ開閉レバー３６ｆの動きに合せて二つの可動爪３０ａが動き、可動挟持片３１ａと固定挟持片２３ａ、および可動挟持片３１ｂと固定挟持片２３ｂが夫々の面接触を解き、該脱毛列２０を構成する四つの脱毛部２１が再度挟持可能領域Ｓを形成する。
【００３７】
しかし、開閉レバー３６ｆを脱毛ヘッド歯車１７側からシリンダー１６に挿入して、開閉レバー３６ａを他端側からシリンダー１６に挿入した対となる開閉レバーの配置を前記配置と逆にした場合には、開閉レバー３６ｆが可動爪３０ｂを動かし、開閉レバー３６ａが可動爪３０ａを動かすものとなる。
【００３８】
したがって、一対の開閉レバーにおいて、脱毛ヘッド歯車１７側からシリンダー１６に挿入した開閉レバーが可動爪３０ｂを動かし、他端側からシリンダー１６に挿入した対となる他方の開閉レバーが可動爪３０ａを動かす構成である。
【００３９】
尚且つ、一対の開閉レバーには略同時に荷重がかかり略揃って変位するため、一つの脱毛列２０を構成する四つの脱毛部２１が略一斉に毛の挟持動作を行う構成となっている。
【００４０】
また、脱毛列２０を構成する脱毛部２１の間には、図６〜８に示すように、脱毛ヘッド１５への肌の落ち込みを防止する三種類の肌押さえ２６ａ、２６ｂ、２６ｃが配置されている。
【００４１】
上記肌押さえ２６ａ、２６ｂ、２６ｃは、本体外周側の面にリブ２８ａ、２８ｂ、２８ｃを設けると共に、その反対の裏面の略中央に凸部２９ａ、２９ｂ、２９ｃを設けたものである。そして、上記凸部２９ａ、２９ｂ、２９ｃには、回転軸４７方向に貫通して開口した肌押さえピン挿通孔２７が設けてある。
【００４２】
更に、肌押さえ２６ａは二つの固定挟持片２３ａの間に位置しており、肌押さえ２６ｂは二つの固定挟持片２３ｂの間に位置しており、肌押さえ２６ｃは脱毛列２０の中央に位置している。
【００４３】
また、シリンダー１６の外周の脱毛列２０を取り付けた位置と、該脱毛列２０を動作させる一対の開閉レバーとの間には、ピン挿入孔１８が設けてある。上記ピン挿入孔１８は、シリンダー１６の脱毛ヘッド歯車１７が設けていない側の端部から回転軸４７に沿って形成されており、脱毛ヘッド歯車１７が設けていない側の端部に開口したものである。
【００４４】
そして、ピン挿入孔１８は、図７および８に示すように、肌押さえピン挿通孔２７と略同じ径であり、各肌押さえピン挿通孔２７および各可動爪ピン挿通孔３４と連通して、回転軸に沿った略一直線状の連通孔を構成するものである。
【００４５】
そして、ピン挿入孔１８以下の径で連通孔より長い寸法の抜け止めピン４４を上記連通孔に挿入することで、上記脱毛列２０および上記肌押さえ２６ａ、２６ｂ、２６ｃをシリンダー１６に抜け止めすることができる。
【００４６】
更に、ピン挿入孔１８の差込み口をヒートシールすることで、抜け止めピン４４自体の抜け止めを行っている。なお、可動爪ピン挿通孔３４は、可動爪３０ａ、３０ｂが開閉レバー３６ａ、３６ｂ、３６ｃ、３６ｄ、３６ｅ、３６ｆにより動く際に支障をきたさないため、抜け止めピン４４の径に対して余裕を有した寸法である。
【００４７】
また、図５および図８に示すように、脱毛列２０は、回転軸４７方向に沿って、且つ円周を六等分した６０°づつ離してシリンダー１６に合計六列配置されている。
【００４８】
更に、シリンダー１６に取り付けた六つの脱毛列２０は、図１０（ａ）に示すように、外周を平面上に展開すると、回転軸４７方向に夫々略等しい量でシリンダー１６にずれて配置してある。これにより、近接する脱毛箇所の間隔を均等にすることができる。
【００４９】
したがって、脱毛する部位を変えつつ連続した脱毛処理が行われ、使用者に大きな刺激を一度に与えることなく、小さな刺激を連続的に与える構成となる。
【００５０】
また、脱毛部２１は所定の角度で傾けてあり、回転軸４７に直交しないものである。そして、脱毛部２１は、該脱毛部２１が構成する脱毛列２０の中央で傾く方向を反対としており、具体的には、固定挟持片２３ａと可動挟持片３１ａとからなる脱毛部２１に対して、固定挟持片２３ｂと可動挟持片３１ｂとからなる脱毛部２１が逆向きに傾いている。
【００５１】
したがって、脱毛列２０は、傾きの異なる脱毛部２１を二つずつ並べた左右対称とした構成である。なお、傾けた角度は、３０°以下が好ましく、本実施形態では１２〜１３°である。
【００５２】
このような構成としたことで、一対の挟持片が毛を挟持できる領域である挟持可能領域Ｓは、回転軸４７方向において、図１０（ｂ）に示すように従来の点ではなく、図９（ｂ）に示すように所定の幅を有する。
【００５３】
そして、挟持可能領域Ｓが回転軸４７方向に幅を有したことで、脱毛ヘッド１５の一回転あたりの挟持可能領域Ｓの上記幅の合計が、シリンダー１６の脱毛部２１を配置できる領域の回転軸４７方向の幅である有効引き抜き幅Ｌより長い構成となる。
【００５４】
したがって、脱毛部２１を傾けたことで、脱毛部２１を回転軸４７に直交して設けた従来の脱毛装置に比べ、毛、特に短い毛の根元を挟持する機会が増しており、短い毛に対する脱毛効率が向上した脱毛装置１となる。
【００５５】
また、二つ並んだ脱毛ヘッド１５は、図３に示すように、前後で取付角度を所定の角度ずらしている。なお、脱毛列２０を配置した角度の半分が好ましく、本実施形態では、３０°である。
【００５６】
そのため、前方の脱毛ヘッド１５の脱毛動作に遅れて、後方の脱毛ヘッド１５が脱毛動作を開始する。更に、後方の脱毛ヘッド１５の上記脱毛動作が終了すると、今度は前方の脱毛ヘッド１５が脱毛動作を開始する。
【００５７】
このように、前後の脱毛ヘッド１５でずらしたことで、前後の脱毛ヘッド１５の脱毛動作の時期がずれて、二つの脱毛ヘッド１５が同時に毛を引き抜くことが無くなり、脱毛動作を交互に行う構成とした脱毛装置１となる。
【００５８】
したがって、脱毛効率が向上しても脱毛による刺激が大きくならず、連続的な小さな刺激に分散され、脱毛装置１使用時に大きな痛みが発生するのを防止できる。
【００５９】
また、二つの脱毛ヘッド１５は前後に並んで配置しているが、図３に示すように、脱毛ヘッド１５は他方の脱毛ヘッド１５に対して回転軸４７方向に所定量ずらして配置されている。
【００６０】
そして、前後の脱毛ヘッド１５を回転軸４７方向にずらして配置したことで、二つの脱毛ヘッド１５の脱毛する位置が互いにずれた構成となる。そのため、脱毛手段１４による脱毛の機会を更に増やすことができ、より脱毛効率の向上した脱毛装置１となる。
【００６１】
また、可動挟持片３１ａ、３１ｂの円周方向の略中央に外周側の縁を一部切り欠いて、図１０および１１に示すように、切り欠き４８ａ、４８ｂを設けた。上記切り欠き４８ａ、４８ｂは、該可動挟持片３１ａ、３１ｂの毛を挟持する面に直交した方向および外周に向けて開口して設けたものである。
【００６２】
そのため、脱毛部２１を増設する等の部品点数を増やしたり、製造時の組立性を複雑にしたりすること無く、従来の脱毛装置より脱毛効率を向上することができ、脱毛処理時間が短縮される。
【００６３】
なお、切り欠き４８ａ、４８ｂの配置数、開口形状、外周側の縁の配置位置は、本願発明で実施可能とするものであればよく、例えば回転軸４７に直交して開口したものでもよい。
【００６４】
また、脱毛による皮脂、毛屑などが挟持片に溜まると、皮脂、毛屑などにより面接
触が妨げられ、十分に毛を挟持できずに脱毛性能が低下する恐れがある。そこで、挟持片、例えば可動挟持片３１ａ、３１ｂの外周よりオフセットした位置に、円周に沿って凹部３５を設けた。
【００６５】
上記凹部３５を設けたことにより、凹部３５に皮脂、毛屑などが溜まり挟持片の面接触を妨げなくなり、脱毛性能の低下を防止したものとなる。なお、凹部３５は、固定挟持片２３ａ、２３ｂに設けてあってもよく、ましてや可動挟持片３１ａ、３１ｂと固定挟持片２３ａ、２３ｂの両方に設けてあってもよい。
【００６６】
更に、可動挟持片３１ａ、３１ｂの回転方向Ｔ側の端部には、該可動挟持片３１ａ、３１ｂの角度より更に角度を大きく傾けた可動側導入部３２ａ、３２ｂが延設してある。
【００６７】
そして、上記可動側導入部３２ａ、３２ｂを延設したことにより、脱毛ヘッド１５の回転時に、回転方向Ｔに対して向かってくる毛が可動側導入部３２ａ、３２ｂにガイドされて、挟持可能領域Ｓに誘い込み易くなり、脱毛効率を高くすることができる。
【００６８】
また、固定挟持片２３ａ、２３ｂの回転方向Ｔ側の端部には、固定挟持片２３ａ、２４ｂの傾きより更に角度を大きく傾けた固定側導入部２４ａ、２４ｂが延設してある。
【００６９】
したがって、可動側導入部３２ａ、３２ｂおよび固定側導入部２４ａ、２４ｂを延設したことで、脱毛部２１に毛を誘い込み易くなり、毛、特に短い毛の根元を脱毛する機会が増して脱毛効率が向上し、脱毛処理時間を短縮できる。
【００７０】
なお、可動爪３０ａ、３０ｂ、固定爪２２ａ、２２ｂに薄い金属材料を用いて、端部を曲げることで各部位を形成すれば、安価に且つ部品点数を少なくできる。
【００７１】
また、上記リブ２８ａ、２８ｂ、２８ｃは、固定挟持片２３ａ、２３ｂより円周外方に突出しない寸法である。そして、リブ２８ａは固定挟持片２３ａの傾けた方向と逆向きで設けてあり、リブ２８ｂは固定挟持片２３ｂの傾けた方向と逆向きで設けてあり、リブ２８ｃを回転方向Ｔに沿って設けてある。
【００７２】
このように、隣接する固定挟持片２３ａ、２３ｂの傾きと異なる方向に向けてリブ２８ａ、２８ｂ、２８ｃを設けたことで、脱毛列２０の隣接する脱毛部２１の間に肌が落ち込むことを防止する。
【００７３】
そして、後列の脱毛列２０を構成する脱毛部２１に向けてリブ２８ａ、２８ｂ、２８ｃを設置できるため、脱毛部２１への毛の導入効率が向上し、且つ肌を効果的に押さえることができ、脱毛部２１と肌との接触を和らげ、肌当たりのよい脱毛ヘッド１５となる。
【００７４】
また、図１に示すように、装置本体２の脱毛手段１４を設けた端部には、ヘッドフレーム７が設置してある。そして、ヘッドフレーム７は開口部を有しており、脱毛手段１４の一部を外部に露出している。
【００７５】
更に、ヘッドフレーム７に囲まれた空間には、脱毛列２０が開口部側に位置した時に、該脱毛列２０を動かす一対の開閉レバー、例えば開閉レバー３６ａと開閉レバー３６ｆ、に荷重をかけるローラ９が対向して設けてある。
【００７６】
また、ヘッドフレーム７の開口部には、薄い板金を曲げ構成した薄板状のガード１０が脱毛手段１４の露出した部分を覆って配置してある。上記ガード１０は、図１および２に示すように、脱毛手段１４に毛を導入するための毛導入部１１を備えており、毛導入部１１は桟１２により複数の毛導入孔１３に分割されている。
【００７７】
そして、上記桟１２は所定角度で傾いており、執行方向Ｕに対して平行ではないものである。そのため、ガード１０により、肌の脱毛処理を行う部位が押さえられ、肌伸ばし効果が得られる。
【００７８】
尚且つ、桟１２を傾けたことで、脱毛手段１４が桟１２により常に隠れてしまって脱毛処理を行えない位置が発生することを防止している。
【００７９】
もちろん、脱毛手段１４は、本願の二つの実施形態では配置数や角度に数字の記載があるが、上記数字のみに限定するのでは無く、本願発明を実施可能とするものであれば、適宜変更可能である。
【００８０】
また、他例として、図１２〜１４に示すように、切り欠き４８ａ、４８ｂに二次導入部４９ａ、４８ｂを配置してもよい。
【００８１】
上記二次導入部４９ａは、可動側導入部３２ａと略平行に傾いており、上記二次導入部４９ｂは、可動側導入部３２ｂと略平行に傾いており、二次導入部４９ａと二次導入部４９ｂとが反対に傾いた構成である。
【００８２】
そして、二次導入部４９ａ、４８ｂを切り欠き４８ａ、４８ｂに延設したことで、脱毛部２１への毛の導入効率が増して、毛、特に短い毛の脱毛効率をより向上することができる。
【００８３】
更に、可動挟持片３１ａの円周方向の長さの中央付近に後端側の一辺を残してＬ字形状に切り目を入れて、切り目を入れた部位を該可動挟持片３１ａの可動側導入部３１ａと略平行に曲げることで、二次導入部４９ａと切り欠き４８ａを同時に形成できる。
【００８４】
もちろん、可動挟持片３１ｂにおいても、上記可動挟持片３１ａと同様の方法で二次導入部４９ｂと切り欠き４８ｂを同時に形成できる。
【００８５】
そのため、製造時の組立性を複雑にすること無く、単純な加工のみで、毛の導入効率を向上することができる。
【００８６】
なお、二次導入部４９ａ、４８ｂの配置数、形状は、本願発明で実施可能とするものであればよく、例えば可動側導入部３２ａ、３２ｂより更に傾けて設けてもよい。
【図面の簡単な説明】
【００８７】
【図１】本発明の脱毛装置における（ａ）は正面図であり、（ｂ）は平面図であり、（ｃ）はＡ−Ａ断面図であり、（ｄ）はＢ−Ｂ断面図である。
【図２】同上のガードにおける（ａ）は正面図であり、（ｂ）は平面図であり、（ｃ）は側面図であり、（ｄ）は斜視図である。
【図３】同上のガードを外した脱毛装置の平面図である。
【図４】同上の脱毛ヘッドの斜視図である。
【図５】同上の脱毛ヘッドにおける（ａ）は正面図であり、（ｂ）（ｃ）は側面図である。
【図６】同上の脱毛ヘッドにおける分解斜視図である。
【図７】同上の脱毛ヘッドのＣ−Ｃ断面図である。
【図８】同上の脱毛ヘッドのＤ−Ｄ断面図である。
【図９】同上の脱毛ヘッドにおける（ａ）は脱毛部の配置の説明図であり、（ｂ）は脱毛部の挟持可能領域の説明図である。
【図１０】同上の切り欠きを設けた可動爪における（ａ）は側面図であり、（ｂ）は平面図であり、（ｃ）は正面図である。
【図１１】同上の切り欠きを設けた可動爪からなる脱毛部の配置の説明図である。
【図１２】同上の二次導入部を設けた可動爪における（ａ）は側面図であり、（ｂ）は平面図であり、（ｃ）は正面図である。
【図１３】同上の二次導入部を可動爪に設けた脱毛部の動作説明図であり、（ａ）は開状態であり、（ｂ）は閉状態である。
【図１４】同上の二次導入部を可動爪に設けた脱毛部の配置の説明図である。
【図１５】従来の脱毛ヘッドにおける（ａ）は脱毛部の配置の説明図であり、（ｂ）は脱毛部の挟持可能領域の説明図である。
【符号の説明】
【００８８】
１  脱毛装置
２  装置本体
１４  脱毛手段
１５  脱毛ヘッド
１６  シリンダー
１７  脱毛ヘッド歯車
２０  脱毛列
２１  脱毛部
４７  回転軸
４８  切り欠き
４９  二次導入部
【図１】
2010069240.tif 000003
【図２】
2010069240.tif 000004
【図３】
2010069240.tif 000005
【図４】
2010069240.tif 000006
【図５】
2010069240.tif 000007
【図６】
2010069240.tif 000008
【図７】
2010069240.tif 000009
【図８】
2010069240.tif 000010
【図９】
2010069240.tif 000011
【図１０】
2010069240.tif 000012
【図１１】
2010069240.tif 000013
【図１２】
2010069240.tif 000014
【図１３】
2010069240.tif 000015
【図１４】
2010069240.tif 000016
【図１５】
2010069240.tif 000017